(57)【要約】【課題】意匠性及び美観を向上させることができ、熟練した作業者でなくとも容易に設置することができる収納装置及び収納装置の設置方法を提供する。【解決手段】本実施の形態に係る収納装置は、床に立設された壁体の一面に沿う横方向に互いに離隔するようにして、前記壁体に夫々固定される２つの収納庫と、前記横方向の両端面が前記２つの収納庫に接触するようにして、前記一面における前記２つの収納庫の間に位置する部分を覆う化粧板とを備える収納装置であって、前記化粧板の前記横方向の両端面、及び前記２つの収納庫の前記両端面に接触する部分の内、何れか一方に、前記横方向に深い凹部が設けられており、前記化粧板の前記横方向の両端面、及び前記２つの収納庫の前記両端面に接触する部分の内、何れか他方に、前記横方向に延びる凸部が突設されており、前記化粧板は、前記凸部が前記凹部に挿入されることによって前記２つの収納庫に取り付けられている。【選択図】図９
2018121915.tif 000002
【特許請求の範囲】
【請求項１】
床に立設された壁体の一面に沿う横方向に互いに離隔するようにして、前記壁体に夫々固定される２つの収納庫と、
前記横方向の両端面が前記２つの収納庫に接触するようにして、前記一面における前記２つの収納庫の間に位置する部分を覆う化粧板と
を備える収納装置であって、
前記化粧板の前記横方向の両端面、及び前記２つの収納庫の前記両端面に接触する部分の内、何れか一方に、前記横方向に深い凹部が設けられており、
前記化粧板の前記横方向の両端面、及び前記２つの収納庫の前記両端面に接触する部分の内、何れか他方に、前記横方向に延びる凸部が突設されており、
前記化粧板は、前記凸部が前記凹部に挿入されることによって、前記２つの収納庫に取り付けられていることを特徴とする収納装置。
【請求項２】
前記凹部に挿入された凸部を保持する保持部材が、前記化粧板及び前記２つの収納庫の内の前記凹部が設けられている方に、前記保持部材を外部から操作可能に取り付けられており、
前記保持部材には、該保持部材が操作されている場合に前記凸部が相対的に摺動することによって、前記凸部を前記凹部への挿入方向に導くカム面が設けられていることを特徴とする請求項１に記載の収納装置。
【請求項３】
前記２つの収納庫の間に棚板が架け渡されていることを特徴とする請求項１又は２に記載の収納装置。
【請求項４】
各収納庫は、
外面が前記一面に接触するようにして前記一面にネジ留めされる背板を有し、該背板に対向する面を開口とする矩形状の箱体と、
前記開口の前記横方向の一側を開閉可能に覆う引き戸と、
前記開口の前記横方向の他側を開閉可能に覆う開き戸と
を含むことを特徴とする請求項１から３の何れか一項に記載の収納装置。
【請求項５】
床に立設された壁体の一面に沿う横方向に互いに離隔するようにして、前記壁体に夫々固定される２つの収納庫と、
前記横方向の両端面が前記２つの収納庫に接触するようにして該２つの収納庫の間に位置しており、前記一面における前記２つの収納庫の間に位置する部分を覆う化粧板と
を備える収納装置を設置する方法であって、
前記化粧板の一方向の両端面及び前記２つの収納庫の内、何れか一方に凹部が設けられており、
前記両端面及び前記２つの収納庫の内、何れか他方に凸部が突設されており、
前記２つの収納庫の内の一方を、該一方の収納庫に突設されている前記凸部の突設方向又は前記一方の収納庫に設けられている前記凹部の深さ方向が前記横方向に沿うよう、前記壁体に固定し、
前記化粧板の前記一方向の一端面を、前記一方の収納庫の前記凸部が前記化粧板の前記一端面に設けられている前記凹部に挿入されるか、又は、前記一方の収納庫の前記凹部に前記化粧板の前記一端面に突設されている前記凸部が挿入されるようにして、前記一方の収納庫に接触させ、
前記２つの収納庫の内の他方を、該他方の収納庫の前記凸部が前記化粧板の前記一方向の他端面に設けられている前記凹部に挿入されるか、又は、前記他方の収納庫の前記凹部に前記化粧板の前記他端面に突設されている前記凸部が挿入されるようにして、前記化粧板の前記他端面に接触させ、
前記他方の収納庫を、前記壁体に固定することを特徴とする収納装置の設置方法。
【発明の詳細な説明】
【技術分野】
【０００１】
本発明は、壁体に取り付けられる収納装置及び収納装置の設置方法に関する。
【背景技術】
【０００２】
例えばダイニングキッチンとして用いられる部屋の床に、ダイニングとキッチンとを仕切る腰壁が立設されていることがある。腰壁は、床からの高さが人間の腰の床からの高さと同程度の壁体である。特許文献１には、腰壁のダイニング側の面に収納庫が取り付けられた部屋が開示されている。
以下では、腰壁の一面に沿う横方向を左右方向という。
【０００３】
特許文献１に記載されている収納庫の場合、収納庫の左右方向の長さを変更することは困難である。故に、左右方向の長さが異なる腰壁夫々に、同一の収納庫を取り付けることができないことがある。
一方、非特許文献１には、２つの収納庫を備える収納装置が開示されている。２つの収納庫は、左右方向に互いに離隔するようにして腰壁に夫々取り付けられる。２つの収納庫の左右方向の離隔距離を変更することは容易なので、左右方向の長さが異なる腰壁夫々に、同一の２つの収納庫を取り付けることができる。
【先行技術文献】
【特許文献】
【０００４】
【特許文献１】特開２００４−９７４３５号公報
【非特許文献】
【０００５】
【非特許文献１】“インディニ3 | 収納材STORAGE | 製品ラインナップ | 南海プライウッド株式会社”、［online］、［平成２９年１月１６日検索］、インターネット＜ＵＲＬ：http://sv.nankaiplywood.co.jp/lineup/storage/indini3/＞
【発明の概要】
【発明が解決しようとする課題】
【０００６】
しかしながら、非特許文献１に開示されている収納装置の場合、収納庫の外面の色彩及び模様等と、腰壁の一面における２つの収納庫の間に位置する部分の色彩及び模様等とが異なる場合、両者に統一感がないことによって、収納装置の意匠性が損なわれることがある。
この問題を解消するために、腰壁の一面における２つの収納庫の間に位置する部分を、化粧板で覆うことが考えられる。
ところが、化粧板と収納庫との間に隙間が生じた場合、収納装置の美観が悪化する。とはいえ、化粧板と収納庫との間に隙間が生じないように化粧板と収納庫とを位置合わせして、化粧板を腰壁に取り付ける作業は、不慣れな作業者には困難である。
【０００７】
本発明は斯かる事情に鑑みてなされたものであり、その主たる目的は、意匠性及び美観を向上させることができ、熟練した作業者でなくとも容易に設置することができる収納装置及び収納装置の設置方法を提供することにある。
【課題を解決するための手段】
【０００８】
本実施の形態に係る収納装置は、床に立設された壁体の一面に沿う横方向に互いに離隔するようにして、前記壁体に夫々固定される２つの収納庫と、前記横方向の両端面が前記２つの収納庫に接触するようにして、前記一面における前記２つの収納庫の間に位置する部分を覆う化粧板とを備える収納装置であって、前記化粧板の前記横方向の両端面、及び前記２つの収納庫の前記両端面に接触する部分の内、何れか一方に、前記横方向に深い凹部が設けられており、前記化粧板の前記横方向の両端面、及び前記２つの収納庫の前記両端面に接触する部分の内、何れか他方に、前記横方向に延びる凸部が突設されており、前記化粧板は、前記凸部が前記凹部に挿入されることによって、前記２つの収納庫に取り付けられていることを特徴とする。
【０００９】
本実施の形態に係る収納装置は、前記凹部に挿入された凸部を保持する保持部材が、前記化粧板及び前記２つの収納庫の内の前記凹部が設けられている方に、前記保持部材を外部から操作可能に取り付けられており、前記保持部材には、該保持部材が操作されている場合に前記凸部が相対的に摺動することによって、前記凸部を前記凹部への挿入方向に導くカム面が設けられていることを特徴とする。
【００１０】
本実施の形態に係る収納装置は、前記２つの収納庫の間に棚板が架け渡されていることを特徴とする。
【００１１】
本実施の形態に係る収納装置は、各収納庫は、外面が前記一面に接触するようにして前記一面にネジ留めされる背板を有し、該背板に対向する面を開口とする矩形状の箱体と、前記開口の前記横方向の一側を開閉可能に覆う引き戸と、前記開口の前記横方向の他側を開閉可能に覆う開き戸とを含むことを特徴とする。
【００１２】
本実施の形態に係る収納装置の設置方法は、床に立設された壁体の一面に沿う横方向に互いに離隔するようにして、前記壁体に夫々固定される２つの収納庫と、前記横方向の両端面が前記２つの収納庫に接触するようにして該２つの収納庫の間に位置しており、前記一面における前記２つの収納庫の間に位置する部分を覆う化粧板とを備える収納装置を設置する方法であって、前記化粧板の一方向の両端面及び前記２つの収納庫の内、何れか一方に凹部が設けられており、前記両端面及び前記２つの収納庫の内、何れか他方に凸部が突設されており、前記２つの収納庫の内の一方を、該一方の収納庫に突設されている前記凸部の突設方向又は前記一方の収納庫に設けられている前記凹部の深さ方向が前記横方向に沿うよう、前記壁体に固定し、前記化粧板の前記一方向の一端面を、前記一方の収納庫の前記凸部が前記化粧板の前記一端面に設けられている前記凹部に挿入されるか、又は、前記一方の収納庫の前記凹部に前記化粧板の前記一端面に突設されている前記凸部が挿入されるようにして、前記一方の収納庫に接触させ、前記２つの収納庫の内の他方を、該他方の収納庫の前記凸部が前記化粧板の前記一方向の他端面に設けられている前記凹部に挿入されるか、又は、前記他方の収納庫の前記凹部に前記化粧板の前記他端面に突設されている前記凸部が挿入されるようにして、前記化粧板の前記他端面に接触させ、前記他方の収納庫を、前記壁体に固定することを特徴とする。
【００１３】
本実施の形態にあっては、化粧板の横方向の一端面に突設されている凸部が、一方の収納庫に設けられている凹部に挿入される。また、化粧板の横方向の他端面に突設されている凸部が、他方の収納庫に設けられている凹部に挿入される。
或いは、化粧板の横方向の一端面に設けられている凹部に、一方の収納庫に突設されている凸部が挿入される。また、化粧板の横方向の他端面に設けられている凹部が、他方の収納庫に突設されている凸部が挿入される。
【００１４】
凸部の凹部への挿入によって、収納庫と化粧板との相対的な位置を正確に合わせることができる。
凸部の凹部への挿入方向は、化粧板の横方向の両端面と２つの収納庫とが互いに相対的に接近する方向である。故に、凸部の凹部への挿入に伴い、化粧板を２つの収納庫に容易に接触させることができる。従って、化粧板と収納庫との間に隙間が生じることを抑制することができる。この結果、収納装置の美観を向上させることができる。
【００１５】
化粧板が壁体に固定されてなくても、特段の問題はない。何故ならば、化粧板は、壁体に固定された２つの収納庫に横方向の両側から挟まれ、凸部と凹部との係合によって２つの収納庫に取り付けられるからである。
化粧板は、壁体の一面における２つの収納庫の間に位置する部分を目隠しする。この結果、壁体の一面の色彩及び模様等に影響されることなく、収納装置の意匠性を向上させることができる。
【００１６】
また、不慣れな作業者であっても、凸部を凹部に挿入すれば、化粧板と収納庫とを容易に位置合わせし、化粧板を２つの収納庫に隙間なく接触させることができる。この結果、熟練した作業者でなくとも容易に収納装置を設置することができる。
【００１７】
本実施の形態にあっては、化粧板に突設されている凸部が、収納庫に設けられている凹部に挿入され、凹部に挿入された凸部が、収納庫に取り付けられている保持部材に保持される。或いは、収納庫に突設されている凸部が、化粧板に設けられている凹部に挿入され、凹部に挿入された凸部が、化粧板に取り付けられている保持部材に保持される。
保持部材に保持された凸部が凹部から抜け出る虞はない。
【００１８】
保持部材が外部から操作されている場合、保持部材に設けられているカム面に、凹部に挿入された凸部が相対的に摺動する。この結果、凸部が凹部への挿入方向に導かれるので、化粧板の横方向の両端面と２つの収納庫とが互いに接近する。従って、凸部の凹部への挿入後、作業者が保持部材を外部から操作することによって、化粧板と収納庫との間に隙間が生じることを更に抑制することができる。
【００１９】
本実施の形態にあっては、２つの収納庫の間に棚板を架け渡すことによって、２つの収納庫の間の空間を収納空間として利用することができる。
【００２０】
本実施の形態にあっては、箱体が有する背板の外面が壁体の一面に接触するようにして、背板が壁体にネジ留めされるので、収納庫の壁体への固定が容易である。
箱体の開口は、引き戸及び開き戸によって覆われるので、背板を壁体に留めるネジは目立たない。故に、背板を壁体に留めるネジが目立つことによる収納装置の美観の悪化を防止することができる。
引き戸は１枚だけなので、箱体の内部における収納に利用できる範囲が広い。
開き戸は１枚だけなので、開かれた開き戸が収納装置の周辺の物品又は使用者に干渉し得る範囲が狭い。
【００２１】
本実施の形態にあっては、一方の収納庫を壁体に固定し、一方の収納庫に化粧板を接触させ、化粧板に他方の収納庫を接触させ、他方の収納庫を壁体に固定するという手順で収納装置が設置される。故に、少人数の作業者が収納装置を容易に設置することができる。
【発明の効果】
【００２２】
本実施の形態の収納装置及び収納装置の設置方法による場合、意匠性及び美観を向上させることができ、熟練した作業者でなくとも容易に設置することができる。
【図面の簡単な説明】
【００２３】
【図１】実施の形態１に係る収納装置を示す斜視図である。
【図２】実施の形態１に係る収納装置を示す正面図である。
【図３】実施の形態１に係る収納装置を示す拡大正面図である。
【図４】実施の形態１に係る収納装置を示す平面図である。
【図５】図２におけるＶ−Ｖ線による収納装置の断面図である。
【図６】図２におけるVI−VI線による収納装置の断面図である。
【図７】図２におけるＶII−ＶII線による収納装置の断面図である。
【図８】収納装置が備える箱体及び化粧板の凸部及び凹部の近傍を示す正面図である。
【図９】箱体及び化粧板の凸部及び凹部の近傍を示す断面図である。
【図１０】凹部に凸部が挿入され、化粧板が箱体にまだ接触していない状態を示す断面図である。
【図１１】凹部に凸部が挿入され、化粧板が箱体に接触した状態を示す断面図である。
【図１２】収納装置が備える保持部材を示す正面図である。
【発明を実施するための形態】
【００２４】
以下、本発明を、その実施の形態を示す図面に基づいて詳述する。
【００２５】
実施の形態  １．
図１は、実施の形態１に係る収納装置を示す斜視図である。
図２は、実施の形態１に係る収納装置を示す正面図である。図３は、実施の形態１に係る収納装置を示す拡大正面図である。
図４は、実施の形態１に係る収納装置を示す平面図である。
図５は、図２におけるＶ−Ｖ線による収納装置の断面図である。
図６は、図２におけるVI−VI線による収納装置の断面図である。
図７は、図２におけるＶII−ＶII線による収納装置の断面図である。
【００２６】
図中１１は壁体であり、壁体１１は平板状をなす。壁体１１は、水平な床１２に垂直に立設されている。壁体１１は腰壁であり、壁体１１の床１２からの高さは、人間の腰の床１２からの高さと同程度である。
壁体１１は、ダイニングキッチンをダイニングとキッチンとに仕切る。壁体１１のキッチン側に向けられている面には、シンク及びコンロ等を有するキッチンキャビネット１３が取り付けられる。壁体１１のダイニング側に向けられている一面１１１には、収納装置２が設置される。
【００２７】
以下では、壁体１１の一面１１１に直交する方向を前後方向という。ダイニング側を前側といい、キッチン側を後側という。また、壁体１１の一面１１１に沿う横方向を左右方向といい、壁体１１の一面１１１を前側から見た場合の左側及び右側を、左側及び右側という。
【００２８】
収納装置２は２つの収納庫３，３及び化粧板４を備える。
収納庫３は、箱体３１、引き戸３２、及び開き戸３３を備える。
箱体３１は、背板３１１、２枚の側板３１２，３１２、天板３１３、及び底板３１４を備える。箱体３１は、背板３１１に対向する面を開口とする矩形箱である。
背板３１１、側板３１２，３１２、天板３１３、及び底板３１４夫々は矩形平板である。
背板３１１の４辺部は、背板３１１が側板３１２，３１２、天板３１３、及び底板３１４夫々に垂直になるよう、側板３１２，３１２、天板３１３、及び底板３１４に取り付けられる。背板３１１の左端面及び右端面は側板３１２，３１２に覆われる。側板３１２，３１２は、互いに平行になるよう対向し、天板３１３及び底板３１４は、平行になるよう対向する。
背板３１１は、フラッシュ構造又は片面フラッシュ構造の板材でもよい。
【００２９】
各収納庫３は、背板３１１の外面が壁体１１の一面１１１に接触し、底板３１４下側に向き、且つ水平になるようにして、後述するように壁体１１に固定される。天板３１３の上面及び底板３１４の下面は、箱体３１（更には収納庫３）の上面及び下面である。
収納庫３，３の箱体３１，３１は、左右方向に互いに離隔するようにして、壁体１１に夫々固定される。図３は、図２に示す収納装置２における左側の収納庫３の拡大図である。
【００３０】
図５に示すように、天板３１３の下面には、案内レール３２１が天板３１３の前縁に沿って設けられる。底板３１４の上面には、揺れ止め３２２が上向きに突設される。
引き戸３２は、一方向に長い矩形状の平板である。引き戸３２は、引き戸３２の長辺部が上下方向に延び、引き戸３２の短辺部が左右方向に延びる向きで箱体３１に配される。
【００３１】
引き戸３２の上辺部には、図示しない戸車が設けられる。引き戸３２の戸車は、案内レール３２１に沿って走行可能に案内レール３２１に取り付けられる。引き戸３２の戸車が案内レール３２１に取り付けられることによって、引き戸３２は案内レール３２１から吊り下げられる。引き戸３２の戸車が案内レール３２１に沿って走行することによって、引き戸３２は左右方向に移動する。引き戸３２は、左右方向に移動することによって、箱体３１の開口の一部を開閉可能に覆う。
引き戸３２の下端面には、左右方向に延びる案内溝３２３が設けられる。案内溝３２３には揺れ止め３２２が挿入される。揺れ止め３２２が引き戸３２の案内溝３２３の内面に接触することによって、引き戸３２の前後方向の揺れが抑制される。
【００３２】
左側の箱体３１の場合、引き戸３２は、箱体３１の開口の右半分を開閉可能に覆う。図３に実線で示す引き戸３２は、箱体３１の開口の右半分を完全に閉鎖している場合の引き戸３２である。図３に二点鎖線で示す引き戸３２は、箱体３１の開口の右半分を完全に開放している場合の引き戸３２である。
引き戸３２の前面における右辺部には、取っ手３２４が設けられる。使用者は、取っ手３２４に手を掛けて引き戸３２を開閉する。
【００３３】
右側の箱体３１の場合、引き戸３２は、箱体３１の開口の左半分を開閉可能に覆う。右側の収納庫３の引き戸３２の構成は、左側の収納庫３の引き戸３２の構成と概ね同様であるが、左右が逆である。
なお、本実施の形態の引き戸３２は吊り引き戸であるが、これに限定されない。引き戸３２は、天板３１３の下面及び底板３１４の上面夫々に設けられた案内レールに沿って左右方向に移動する構成でもよい。ただし、この場合、底板３１４の上面に設けられた案内レールに埃が溜まり易いので、底板３１４を清掃する負担が大きい。
【００３４】
開き戸３３は、一方向に長い矩形状の平板である。
左側の箱体３１の場合、開き戸３３は、開き戸３３の長辺部が上下方向に延びる向きで、箱体３１の開口の左半分を開閉可能に覆う。このために、開き戸３３と箱体３１の左側の側板３１２とは、上下方向に互いに離隔した２つの蝶番３３１，３３１によって連結される（図３及び図６参照）。箱体３１の開口の左半分を閉鎖している開き戸３３は、引き戸３２を前側から部分的に覆う。
以下では、開き戸３３が箱体３１の開口の左半分を閉鎖している場合の前後左右を開き戸３３の前後左右とする。
【００３５】
各蝶番３３１は、開き戸３３の後面における左辺部に取り付けられると共に、側板３１２の右面における前辺部に取り付けられる。
開き戸３３の右端面には、上下方向に延びる溝状の手掛け部３３２が設けられる（図５参照）。使用者は、手掛け部３３２に手を掛けて開き戸３３を開閉する。
右側の収納庫３の開き戸３３の構成は、左側の収納庫３の開き戸３３の構成と概ね同様であるが、左右が逆である。
【００３６】
図３、図５、及び図６に示すように、収納庫３は２枚の棚板３４，３４を更に備える。各棚板３４は矩形状の平板である。各棚板３４は、各棚板３４は、底板３１４からの高さを変更可能に、側板３１２，３１２間に水平に架設される。
【００３７】
箱体３１は、箱体３１の上面が壁体１１の上端面と面一になるようにして、壁体１１に固定される（図５〜図７参照）。引き戸３２、開き戸３３、及び棚板３４夫々の箱体３１への取り付けは、箱体３１が壁体１１に固定された後で行なわれてもよく、箱体３１が壁体１１に固定される前に行なわれてもよい。
箱体３１の上下方向の長さは、壁体１１の床１２からの高さより短い。故に、壁体１１に固定された箱体３１の下面は、床１２から離隔する。従って、床１２の不陸及び壁体１１の床１２からの高さ等に影響されることなく、箱体３１の上面と壁体１１の上端面とを面一にすることができる。また、箱体３１の下側の床１２を容易に清掃することができる。
【００３８】
箱体３１は、箱体３１の背板３１１が背板３１１の前側から壁体１１の一面１１１にネジ留めされることによって、壁体１１に固定される。背板３１１のネジ留めは、例えば電動ドライバを用いて行われる。箱体３１には引き戸３２及び開き戸３３が取り付けられるので、背板３１１に取り付けられたネジは目立たない。しかしながら、ネジを目隠しするための化粧部材を背板３１１に取り付けることが望ましい。
【００３９】
化粧板４は矩形状の平板である（図２及び図７参照）。化粧板４は、化粧板４の一辺部が左右方向に延びる向きで、壁体１１に固定された箱体３１，３１夫々に取り付けられる。化粧板４の左右方向の長さは、壁体１１に固定された箱体３１，３１の間の離隔距離に等しい。化粧板４の上下方向の長さは、箱体３１の上面から下面までの長さに等しい。
化粧板４を箱体３１に取り付けるために、化粧板４及び収納庫３の内の一方に凹部が設けられ、化粧板４及び収納庫３の内の他方に凸部が設けられる。凸部が凹部に挿入されることによって、化粧板４が箱体３１に取り付けられる。
以下では、次の図８〜図１１に示すように、収納庫３の箱体３１に凸部３５が設けられ、化粧板４に凹部４１が設けられる場合を説明する。
【００４０】
図８は、収納装置２が備える箱体３１及び化粧板４の凸部３５及び凹部４１の近傍を示す正面図である。図９は、箱体３１及び化粧板４の凸部３５及び凹部４１の近傍を示す断面図である。
図１０は、凹部４１に凸部３５が挿入され、化粧板４が箱体３１にまだ接触していない状態を示す断面図である。
図１１は、凹部４１に凸部３５が挿入され、化粧板４が箱体３１に接触した状態を示す断面図である。
左側の箱体３１の場合、凸部３５は、箱体３１が備える右側の側板３１２の右面に右向きに突設される。右側の箱体３１の場合、凸部３５は、箱体３１が備える左側の側板３１２の左面に左向きに突設される。以下では、左側の箱体３１の場合について説明する。図８〜図１１に示す箱体３１は、左側の箱体３１である。
【００４１】
側板３１２には、３つの凸部３５，３５，３５が、上下方向に互いに離隔して並設される。凸部３５，３５，３５は、側板３１２の右面における後辺部に配される。
各凸部３５は、ネジ部材３５０を側板３１２の右面に取り付けることによって側板３１２に設けられる。ネジ部材３５０は、太い円柱状の第１軸３５１、第１軸３５１の一端部に同軸に突設された細い円柱状の第２軸３５２、第２軸３５２の先端部に同軸に設けられ、第１軸３５１よりも小径且つ第２軸３５２よりも大径の円盤状のネジ頭３５３、及び第１軸３５１の他端部に同軸に突設され、周面に雄ネジが形成された円柱状の雄ネジ部３５４を有する。雄ネジ部３５４は、第１軸３５１が側板３１２の右面に直交する向きで、側板３１２にねじ込まれる。第１軸３５１、第２軸３５２、及びネジ頭３５３が凸部３５を構成する。
【００４２】
化粧板４の左端面には、３つの凹部４１，４１，４１が、上下方向に互いに離隔して並設される。凹部４１，４１，４１の上下方向の配置位置は、凸部３５，３５，３５の上下方向の配置位置に対応する。
各凹部４１は、右向きに深まる丸穴状をなす。凹部４１の直径は、凸部３５の第１軸３５１の直径と同程度である。凹部４１の深さは、凸部３５の側板３１２からの突出長さより深い。
【００４３】
化粧板４の前面には、３つの丸穴４２，４２，４２が、上下方向に互いに離隔して並設される。丸穴４２は、凹部４１の最奥部に連通するように、化粧板４の前面に垂直に設けられる。図に示す丸穴４２は化粧板４を貫通していないが、丸穴４２は貫通孔でもよい。
同様に、化粧板４の左端面及び化粧板４の前面における右辺部にも、凹部４１，４１，４１及び丸穴４２，４２，４２が設けられる。
各丸穴４２には保持部材４３が嵌め込まれる。
【００４４】
図１２は、収納装置２が備える保持部材４３を示す正面図である。
図８〜図１２に示す保持部材４３は、円盤４３１と円筒４３２とを同軸に有する。円盤４３１及び円筒４３２夫々は、丸穴４２の半径と同程度の半径を有する。円筒４３２は円盤４３１の周縁部から立ち上がる。円筒４３２は、円筒４３２の周方向の一部が、軸長方向の全長に亘って切り欠かれたように開口している。円筒４３２の軸長方向の中央部には、周方向に延びるスリット４３３が設けられる。スリット４３３の周方向の一端部は、円筒４３２の周方向の端部を切り欠くようにして、開放されている。スリット４３３の幅は、凸部３５の第２軸３５２の直径より長く、ネジ頭３５３の直径より短い。
【００４５】
円盤４３１の外面の中心部には十字溝４３４が設けてある。円盤４３１の外面の外周部には矢印４３５及び目印４３６が周方向に並設されている。
十字溝４３４には、例えばドライバが挿入可能である。
矢印４３５は円盤４３１の周方向に延びる矢符である。図１２に示す矢印４３５は右回り方向の矢印である。スリット４３３の開放側の端部は、矢印４３５が示す方向の端部である。
目印４３６は、円筒４３２の周面が開口している位置を示す。これは、凸部３５のネジ頭３５３を、円筒４３２の内部に円筒４３２の径方向に挿入可能な位置である。
【００４６】
保持部材４３は、円盤４３１を外側に向けて丸穴４２に同軸に嵌め込まれる。このとき、円筒４３２は凹部４１の最奥部に挿入される。丸穴４２に嵌め込まれた保持部材４３の周方向の初期位置は、目印４３６が凹部４１の開口側に向く位置である。このとき、円筒４３２の内面の周方向中央部が凹部４１の開口に対向する。
十字溝４３４に挿入されたドライバから周方向の回転力が与えられた場合、保持部材４３は丸穴４２の内部で周方向に回転する。作業者は、ドライバを用いて保持部材４３を回転させる操作を、化粧板４の前側から容易に行なうことができる。
【００４７】
次に、収納装置２の設置について説明する。以下では、箱体３１、化粧板４、及び箱体３１が左から順に配置される手順を説明する。
作業者は、箱体３１，３１の内、左側に配置すべき箱体３１を、前述したように固定する。このとき、箱体３１は、壁体１１を左右方向に仮想的に３分割した３つの領域の内の左側の領域に固定される。
【００４８】
次に、作業者は、壁体１１に固定された箱体３１の凸部３５，３５，３５と化粧板４の左側の凹部４１，４１，４１とを対向させ（図８及び図９参照）、化粧板４の左端面を箱体３１の側板３１２の右面に接近させることによって、凸部３５，３５，３５を凹部４１，４１，４１に挿入する。
凸部３５，３５，３５の凹部４１，４１，４１への挿入によって、壁体１１に固定された箱体３１と化粧板４との上下方向及び前後方向夫々の相対的な位置を正確に合わせることができる。正確に位置合わせされた場合、箱体３１の上面と化粧板４の上端面とは面一になる。
凸部３５が凹部４１に挿入された場合、凸部３５のネジ頭３５３は、目印４３６の位置で、円筒４３２の内部に進入する。
【００４９】
次いで、作業者は、ドライバを用いて保持部材４３を矢印４３５が示す方向に回転させる。保持部材４３が、矢印４３５が示す方向に１８０°回転した場合、目印４３６が凹部４１の最奥部側に向く。
保持部材４３が初期位置から矢印４３５の向きに約９０°以上回転すると、凸部３５の第２軸３５２が、スリット４３３の開放側の端部からスリット４３３の内部に挿入される。スリット４３３の幅はネジ頭３５３の直径よりも短いので、円筒４３２の内面におけるスリット４３３の幅方向の両側部が、凸部３５のネジ頭３５３に係合する（図１０参照）。この結果、凸部３５が保持部材４３に保持されるので、凸部３５が凹部４１から抜け出る虞がない。また、保持部材４３が丸穴４２から抜け出る虞もない。
【００５０】
円筒４３２の内面におけるスリット４３３の幅方向の両側部には、カム面４３７，４３７が設けられる。凸部３５のネジ頭３５３がスリット４３３の両側部に係合している場合、ネジ頭３５３はカム面４３７，４３７に接触する。円筒４３２の、各カム面４３７が設けられている部分の厚みは、矢印４３５が示す方向に徐々に薄くなる。
保持部材４３が矢印４３５の向きに回転している場合、スリット４３３の両側部に係合しているネジ頭３５３は、カム面４３７，４３７に相対的に摺動する。このとき、カム面４３７，４３７が、ネジ頭３５３をカムフォロワとして、凸部３５が凹部４１に挿入される方向に凸部３５を導く。この結果、化粧板４の左端面と箱体３１の側板３１２とが互いに更に接近するので、最終的に両者が互いに接触する（図１１参照）。
【００５１】
次いで、作業者は、まだ壁体１１に固定されていない箱体３１の凸部３５，３５，３５と化粧板４の右側の凹部４１，４１，４１とを対向させ、箱体３１の側板３１２の左面を化粧板４の右端面に接近させることによって、凸部３５，３５，３５を凹部４１，４１，４１に挿入する。
凸部３５，３５，３５の凹部４１，４１，４１への挿入によって、左側の箱体３１及び化粧板４と右側の箱体３１との上下方向及び前後方向夫々の相対的な位置を正確に合わせることができる。
更に、作業者は、ドライバを用いて保持部材４３を矢印４３５が示す方向に回転させる。この結果、凸部３５が保持部材４３に保持され、化粧板４の右端面と側板３１２の左面とが互いに接触する。
【００５２】
次に、作業者は、右側の箱体３１を壁体１１に前述したように固定する。
箱体３１，３１及び化粧板４が壁体１１に取り付けられた後で、化粧板４には、保持部材４３及び保持部材４３が嵌め込まれている丸穴４２を目隠しするための図示しない化粧部材が取り付けられる。
なお、収納装置２を設置する手順は、箱体３１、化粧板４、及び箱体３１右から順に配置される手順でもよい。
【００５３】
以上のような手順で、収納庫３，３が、左右方向に互いに離隔するようにして、壁体１１に夫々固定される。また、化粧板４は、壁体１１の一面１１１における収納庫３，３の間に位置する部分を覆う。つまり、化粧板４は、壁体１１の一面１１１における収納庫３，３の間に位置する部分を目隠しする。この結果、壁体１１の一面１１１の色彩及び模様等に影響されることなく、収納装置２の意匠性が向上する。
化粧板４の左右両端面は箱体３１，３１に接触する。従って、化粧板４と箱体３１，３１との間に隙間が生じない。この結果、収納装置２の美観が向上する。
化粧板４は壁体１１に固定されないが、特段の問題はない。何故ならば、化粧板４は、壁体１１に固定された収納庫３，３に左右方向の両側から挟まれ、凸部３５，３５，…と凹部４１，４１，…との係合によって収納庫３，３に取り付けられるからである。
【００５４】
また、不慣れな作業者であっても、凸部３５，３５，…を凹部４１，４１，…に挿入すれば、化粧板４と箱体３１，３１とを容易に位置合わせし、化粧板４を箱体３１，３１に隙間なく容易に接触させることができる。更に、化粧板４を壁体１１に固定する必要がないので、位置合わせ後、例えば化粧板４を壁体１１にネジ留めする際に、電動ドライバの振動を受けて化粧板４が位置ずれするような不都合が生じる虞がない。以上の結果、熟練した作業者でなくとも容易に収納装置２を設置することができる。
【００５５】
各収納庫３の左右方向の長さを変更することは困難である。しかしながら、収納庫３，３の左右方向の離隔距離を変更することは容易である。故に、同一の収納庫３，３を、左右方向の長さが異なる壁体１１夫々に固定することができる。
一方、平板の左右方向の長さを、収納庫３，３の左右方向の離隔距離に等しくなるように短くすることは比較的容易である。収納庫３，３の左右方向の離隔距離に等しい長さを有する平板に凹部４１，４１，…及び丸穴４２，４２，…を形成することにより、左右方向の長さが収納庫３，３の左右方向の離隔距離に等しい化粧板４を得ることができる。
【００５６】
化粧板４の下端面の床１２からの高さは箱体３１の下面の床１２からの高さと同じなので、化粧板４の下端面は床１２から離隔する。従って、床１２の不陸及び壁体１１の床１２からの高さ等に影響されることなく、化粧板４の上端面と壁体１１の上端面とを面一にすることができる。また、化粧板４の下側の床１２を容易に清掃することができる。
【００５７】
なお、収納装置２は、化粧板４に凸部３５が設けられ、箱体３１に凹部４１が設けられる構成でもよい。
保持部材４３及びネジ部材３５０は、例えば実公平７−５０９７８号公報に記載のカム体及び突出体、又は特開平１１−７５９６３号公報に記載の取付具及びタップネジのような一対のノックダウン金具であってもよい。また、保持部材４３は、回転操作される構成に限定されず、例えばスライド操作される構成でもよい。
【００５８】
また、保持部材４３を用いることなく、凸部３５が凹部４１に挿入されるだけでもよい。凸部３５，３５，３５の凹部４１，４１，４１への挿入方向は、化粧板４の左右方向の両端面と箱体３１，３１の側板３１２，３１２とが互いに相対的に接近する方向なので、保持部材４３を用いない場合でも、凸部３５，３５，３５の凹部４１，４１，４１への挿入に伴い、化粧板４を箱体３１，３１に容易に接触させることができる。従って、化粧板４と箱体３１，３１との間に隙間が生じることを抑制することができる。この場合、化粧板４に丸穴４２を設ける必要はない。
【００５９】
壁体１１には、壁体１１の上端面を全体的に覆い、且つ壁体１１からダイニング側に突出するようにして、天板１４が取り付けられる。壁体１１に取り付けられた天板１４は、キッチンカウンタとして用いられる。
壁体１１の上端面と左側の箱体３１の上面とが面一であり、左側の箱体３１と化粧板４及び右側の箱体３１とが正確に位置合わせされているで、天板１４の下面と箱体３１，３１夫々の上面及び化粧板４の上端面との間に隙間が生じることはない。この結果、天板１４及び収納装置２全体の美観を向上させることができる。
なお、箱体３１，３１及び化粧板４は、予め天板１４が取り付けられている壁体１１に取り付けられてもよい。
【００６０】
天板１４を補強するために、横桟１５が用いられることが望ましい。横桟１５は、例えば棒材である。横桟１５は、天板１４の下面の前端部に接触するようにして、箱体３１，３１の間に水平に架設される。この結果、横桟１５は天板１４を補強するリブとして機能する。横桟１５に補強されることによって、天板１４の曲げ剛性が高まる。また、横桟１５は、例えば天板１４の下面に取り付けられる照明器具を目隠しする。
【００６１】
収納装置２は棚板２１を更に備えていることが望ましい。図には２枚の棚板２１，２１が例示されている。各棚板２１は矩形状の平板である。棚板２１は、床１２からの高さを変更可能に、箱体３１，３１の間に水平に架設される。この結果、収納庫３，３の間の空間を収納空間として利用することができる。
最下段の棚板２１の下面の床１２からの高さは箱体３１の下面の床１２からの高さ以上なので、棚板２１の下面は床１２から離隔する。従って、棚板２１の下側の床１２を容易に清掃することができる。
最下段の棚板２１の床１２からの高さが十分に高ければ、最下段の棚板２１と床１２との間の空間を、例えばゴミ箱を配置する空間として利用することができる。
【００６２】
化粧板４の前側は、ダイニングテーブル１６の設置に利用することができる。収納装置２が棚板２１，２１を備えており、且つ、ダイニングテーブル１６を設置する場合、棚板２１，２１夫々の上下方向の配置位置は、棚板２１，２１の何れか一方の上面とダイニングテーブル１６の天板の上面とが面一になるような配置位置であることが望ましい。このとき、ダイニングテーブル１６の天板を棚板２１に突きつけるようにしてダイニングテーブル１６を設置すれば、棚板２１をダイニングテーブル１６の延長部として利用することができる。
【００６３】
ダイニングテーブル１６の左右両側に椅子が設置される場合、最下段の棚板２１の床１２からの高さを十分に高くする（望ましくはダイニングテーブル１６の天板の高さ以上の高さにする）ことが望ましい。このとき、椅子に座った使用者の足が棚板２１に接触する不都合が抑制される。
ダイニングテーブル１６の左右両側に設置された椅子は、収納庫３，３の前側に位置する。引き戸３２及び開き戸３３夫々は、椅子に座った使用者が開閉し易い。開き戸３３は、箱体３１の開口の化粧板４から遠い側を開閉可能に覆うので、開かれた開き戸３３が椅子に干渉することが抑制される。
【００６４】
なお、開き戸３３が、箱体３１の開口の化粧板４に近い側を開閉可能に覆ってもよい。この場合、収納庫３の前側に椅子を置かないことが望ましい。
収納庫３は、２枚の引き戸を含む引き違い戸が箱体３１の開口を開閉可能に覆う構成でもよい。しかしながら、２枚の引き戸を含む引き違い戸の場合には、箱体３１に２本の案内レールを設ける必要がある。２本の案内レールの下側の空間を収納空間として利用することはできない。言い換えれば、引き戸３２が１枚だけの方が、箱体３１の内部における収納に利用できる範囲が広い。
また、収納庫３は、２枚の開き戸が箱体３１の開口を開閉可能に覆う構成でもよい。しかしながら、開き戸３３が１枚だけの方が、開かれた開き戸３３が収納装置２の周辺の物品又は使用者に干渉し得る範囲が狭い。
【００６５】
実施の形態  ２．
実施の形態１では、一の箱体３１の壁体１１への固定、一の箱体３１への化粧板４の取り付け、化粧板４への他の箱体３１の取り付け、及び他の箱体３１の壁体１１への固定をこの順に個別に行なうことによって収納装置２を設置する手順を説明した。本実施の形態では、収納装置２を設置する他の手順を説明する。
【００６６】
実施の形態１では、化粧板４における丸穴４２，４２，…が開口している面が、化粧板４の前面として用いられる。一方、本実施の形態では、各丸穴４２が化粧板４を貫通しておらず、化粧板４における丸穴４２，４２，…が開口している面が、化粧板４の後面として用いられる。
作業者は、箱体３１，３１を壁体１１に固定する前に、化粧板４を箱体３１，３１で左右両側から挟むようにして、箱体３１，３１に化粧板４を取り付ける。この結果、化粧板４及び箱体３１，３１が一体化する。
各箱体３１への化粧板４の取り付け手順は、作業者が化粧板４の後側から保持部材４３を操作すること以外は、実施の形態１における箱体３１への化粧板４の取り付け手順と同様である。
次に、作業者は、化粧板４が取り付けられた箱体３１，３１を、壁体１１に固定する。
【００６７】
以上のような手順で化粧板４及び箱体３１，３１を壁体１１に取り付ける場合には、丸穴４２，４２，…及び保持部材４３，４３，…を目隠しする必要がない。
一方、実施の形態１のように一の箱体３１の壁体１１への固定、一の箱体３１への化粧板４の取り付け、化粧板４への他の箱体３１の取り付け、及び他の箱体３１の壁体１１への固定をこの順に個別に行なう作業は、本実施の形態のように化粧板４が取り付けられた箱体３１，３１を壁体１１に固定する作業よりも少人数で行なうことができる。
【００６８】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００６９】
１１    壁体
１１１  一面
１２    床
２      収納装置
２１    棚板
３      収納庫
３１    箱体
３１１  背板
３２    引き戸
３３    開き戸
３５    凸部
４      化粧板
４１    凹部
４３    保持部材
４３７  カム面
【図１】
2018121915.tif 000003
【図２】
2018121915.tif 000004
【図３】
2018121915.tif 000005
【図４】
2018121915.tif 000006
【図５】
2018121915.tif 000007
【図６】
2018121915.tif 000008
【図７】
2018121915.tif 000009
【図８】
2018121915.tif 000010
【図９】
2018121915.tif 000011
【図１０】
2018121915.tif 000012
【図１１】
2018121915.tif 000013
【図１２】
2018121915.tif 000014